(57)【要約】      （修正有）【課題】加工が簡単であり、コンパクトであり携帯しやすく、組立に便利であり、生産コストを節約し、使用寿命が長い構造が簡単なフレームを提供する。【解決手段】フレームは、フレーム本体１を含み、フレーム本体１は瓶缶を備付けるための収納チャンバー２を形成する。フレーム本体１は、一対の第１フレーム板と第２フレーム板により囲まれて構成され、一対の第１フレーム板と第２フレーム板は、いずれも主板１１と第１接続板部と第２接続板部を含み、主板１１の両端は、同一側に屈曲して前記第１接続板部および前記第２接続板部を形成し、第１フレーム板の第１接続板部と第２フレーム板の第２接続板部とは、摺動可能に接続され、第１フレーム板の第２接続板部と第２フレーム板の第１接続板部とは、摺動可能に接続される。【選択図】図１
0003191387.tif 000002
【実用新案登録請求の範囲】
【請求項１】
フレーム本体（１）を含み、前記フレーム本体（１）は瓶缶を備付けるための収納チャンバー（２）を形成するフレームにおいて、
前記フレーム本体（１）は、一対の第１フレーム板（１１）と第２フレーム（１１）により囲まれて構成され、
前記一対の第１フレーム板（１１）と第２フレーム板（１１）は、いずれも主板（１１）と第１接続板部（１２）と第２接続板部（１３）を含み、
前記主板（１１）の両端には、同一側に屈曲して前記第１接続板部（１２）と前記第２接続板部（１３）とが形成され、
前記第１フレーム板の第１接続板部（１２）と第２フレーム板の第２接続板部（１３）とは、摺動可能に接続され、
前記第１フレーム板の第２接続板部（１３）と第２フレーム板の第１接続板部（１２）とは、摺動可能に接続される
ことを特徴とするフレーム。
【請求項２】
前記第１フレーム板の第２接続板部（１３）の内面に主板から（１１）離れる一端にガイドブロック（１３１）が形成され、
前記第２フレーム板の第１接続板部（１２）の外面に摺動溝（１２１）が形成され、
前記ガイドブロック（１３１）は前記摺動溝（１２１）内に摺動可能に配置され、
前記第１フレーム板の第２接続板部（１３）の上縁は、前記収納チャンバー（２）に向かって延伸して下へ屈曲して第１延伸ピース（１３３）を構成し、
前記第２接続板部（１３）の下縁は、前記収納チャンバー（２）に向かって延伸して上へ屈曲して第２延伸ピース（１３４）を構成し、
ガイドレール（１３２）が、前記第１延伸ピース（１３３）、第２延伸ピース（１３４）および第２接続板部（１３）により囲まれて構成され、
前記第２フレーム板の第１接続板部（１２）は、前記ガイドレール（１３２）内に摺動可能に設置される
ことを特徴とする請求項１に記載のフレーム。
【請求項３】
前記第２フレーム板の第２接続板部（１３）の内面に主板から離れる一端にガイドブロック（１３１）が設置され、
前記第１フレーム板の第１接続板部（１２）の外面に前記ガイドブロック（１３１）に合わせる摺動溝（１２１）が形成され、
前記ガイドブロック（１３１）は前記摺動溝（１２１）に摺動可能に設置され、
前記第２フレーム板の第２接続板部（１３）の上縁には、前記収納チャンバー（２）に向かって延伸して下へ屈曲して第１延伸ピース（１３３）が構成され、
前記第２接続板部（１３）の下縁には収納チャンバー（２）に向かって延伸して上へ屈曲して第２延伸ピース（１３４）を構成し、
ガイドレール（１３２）が、前記第１延伸ピース（１３３）、第２延伸ピース（１３４）および第２接続板部（１３）により囲まれて構成され、
前記第２フレーム板の第１接続板部（１２）は、前記ガイドレール（１３２）内に摺動可能に設置される
ことを特徴とする請求項２に記載のフレーム。
【請求項４】
前記摺動溝（１２１）の両端に、前記ガイドブロック（１３１）を係止する係止口が開設されている
ことを特徴とする請求項２に記載のフレーム。
【請求項５】
前記ガイドブロック（１３１）は、フックである
ことを特徴とする請求項２に記載のフレーム。
【請求項６】
前記主板（１１）の外表面に凹溝（１１１）が設置されている
ことを特徴とする請求項１に記載のフレーム。
【請求項７】
前記主板（１１）の両端部の幅は、前記主板（１１）の中部の幅より小さく、
前記主板（１１）の幅は、前記主板（１１）の両端部から主板の中部にかけて徐々に大きくなる
ことを特徴とする請求項１に記載のフレーム。
【請求項８】
前記第１接続板部（１２）と主板（１１）との間の屈曲部には、丸コーナ（１４）が設置され、
前記第２接続板部（１３）と主板（１１）との間の屈曲部には、丸コーナ（１４）が設置される
ことを特徴とする請求項１に記載のフレーム。
【考案の詳細な説明】
【技術分野】
【０００１】
本考案はフレームの技術分野に関し、特に構造が簡単なフレームに関する。
【背景技術】
【０００２】
人々の生活水準を日増しに上がることに従って、人々が生活空間の集約的な利用に対する追求はますます厳しくなる。今の商店は異なる種の高級な酒の冷藏保存に重視するだけでなく、酒の飾り棚の利用に気を使う。飾り棚は異なる種の瓶詰め酒を直観的に消費者に見せるだけでなく、瓶詰め酒を複数層に分けて単一の飾り棚に緊密に配列し、空間の有効活用に有利であり、かつ、空間コストを節約する。しかしながら、飾り棚上の瓶詰め酒を販売して酒を配列する領域の一部が空きになり、特に、販売量が大きい場合に、空き領域はさらに大きくなり、この時、空き領域のみを見ると、瓶詰め酒の販売総量を統計しにくく、酒の展示と管理に不利である。従って、酒瓶フレームをデパートの飾り棚に合わせて使用し、飾り棚上の酒の数の管理効率を向上させるという提案はある。しかし、従来の酒瓶フレームには、部品が繁多であり、構造が複雑であり、かつ、加工プロセスが煩雑であり、生産コストが高く、並びに、繁多な部品により、その重量が大きく、携帯に不利であり、実用性が弱い。以上の問題はいずれも市場での普及に不利であり、また、従来の酒瓶フレームは組立に不便であり、さらに、後のメンテナンスに不利である。組立後のフレームには、その主要な接続板部品が損壊すると、フレーム全体の接続安定性を悪くさせ、継続して使用しにくく、使用寿命が短い。従って、以上の問題を早急に解決する必要がある。
【考案の概要】
【考案が解決しようとする課題】
【０００３】
本考案の目的は、従来技術の欠陥に対して、加工が簡単であり、コンパクトであり、携帯しやすく、組立に便利であり、生産コストを節約し、使用寿命が長い構造が簡単なフレームを提供することにある。
【課題を解決するための手段】
【０００４】
本考案は以下の技術方案により実現される。
構造が簡単なフレームであって、フレーム本体を含み、フレーム本体は瓶缶を備付けるための収納チャンバーを形成し、フレーム本体は第１フレーム板および第２フレームにより囲まれて構成され、第１フレーム板および第２フレーム板はいずれも主板、第１接続板部および第２接続板部を含み、主板の両端は同一側に屈曲して前記第１接続板部および前記第２接続板部を形成し、第１フレーム板の第１接続板部と第２フレーム板の第２接続板部とは摺動可能に接続され、第１フレーム板の第２接続板部と第２フレーム板の第１接続板部とは摺動可能に接続される。
ここで、第１フレーム板の第２接続板部の内表面に主板から離れる一端にガイドブロックが設置され、第２フレーム板の第１接続板部の外表面にガイドブロックに合わせる摺動溝が設置され、ガイドブロックは摺動溝に摺動可能に設置され、
第１フレーム板の第２接続板部の上縁には収納チャンバーに向かって延伸して下へ屈曲して第１延伸ピースを構成し、第２接続板部の下縁には収納チャンバーに向かって延伸して上へ屈曲して第２延伸ピースを構成し、ガイドレールは第１延伸ピース、第２延伸ピースおよび第２接続板部により囲まれて構成され、第２フレーム板の第１接続板部は前記ガイドレールに摺動可能に設置される。
ここで、第２フレーム板の第２接続板部の内表面に主板から離れる一端にガイドブロックが設置され、第１フレーム板の第１接続板部の外表面にガイドブロックに合わせる摺動溝が設置され、ガイドブロックは摺動溝に摺動可能に設置され、
第２フレーム板の第２接続板部の上縁には収納チャンバーに向かって延伸して下へ屈曲して第１延伸ピースを構成し、第２接続板部の下縁には収納チャンバーに向かって延伸して上へ屈曲して第２延伸ピースを構成し、ガイドレールは第１延伸ピース、第２延伸ピースおよび第２接続板部により囲まれて構成され、第１フレーム板の第１接続板部は前記ガイドレールに摺動可能に設置される。
ここで、摺動溝の両端にガイドブロックを係止できる係止口が開設される。
ここで、ガイドブロックはフックである。
ここで、主板の外表面に凹溝が設置される。
ここで、主板の両端部の幅は主板の中部の幅より小さく、かつ、主板の幅は主板の両端部から主板の中部にかけて徐々に大きくなる。
ここで、第１接続板部と主板との間、および第２接続板部と主板との間の屈曲部はいずれも丸コーナが設置される。
【０００５】
考案の効果
本考案は構造が簡単であり、その他の接続板部品を要しなく、フレーム本体が第１フレーム板および第２フレーム板により囲まれて構成され、接続板部品等の構造を簡単にし、生産コストを低減するだけでなく、生産プロセスを簡単にし、規模化生産に便利であり、かつ、フレーム自身をコンパクトにし、携帯に便利であり、実用性が強く、また、部品が少ないため、メンテナンスに有利であり、使用寿命が長く、市場での普及に有利である。なお、本考案の第１フレーム板および第２フレーム板は第１接続板部および第２接続板部により接続されてフレーム本体を構成し、組立は便利、簡単であり、かつ、第１接続板部と第２接続板部との間の摺動引張により、フレーム本体１の収納チャンバー２の寸法の調節を実現でき、調節に便利であり、このようにして、異なる寸法の酒瓶または飲料缶の要求を満たすことができ、商品は秩序正しく展示されることができ、適用範囲は広い。
本考案のフレームは、使用される場合に、デパートの飾り棚に合わせて使用することができ、展示されている商品を秩序正しく配列することに有利である。まず、本考案のフレームを飾り棚上に置き、そして酒瓶を本考案のフレームに１つずつ入れてよい。それとともに、飾り棚の各種商品の数の減少を即時に反映し、即時に補充することに有利である。なお、補充商品の交換に便利であり、フレーム内に配列される商品を１列の全体を取り出し、新規な商品を交換し、時間を節約し、点検に便利である。また、本考案のフレームはフレームプレートを傾斜する飾り棚に合わせて使用する場合に、本考案のフレームに置かれて１行または１列に配列される商品を取り出すと、後方の列または行となる商品は自身の重力で滑落し、取り出した商品による空位を自動に補充することを実現し、商品はいつでも秩序正しく展示されるようになる。
【図面の簡単な説明】
【０００６】
【図１】本考案のフレームの立体構造を示す図。
【図２】本考案のフレームの構造の分解図。
【考案を実施するための形態】
【０００７】
以下、図面を参照しながら本考案のフレームを詳細に説明する。
実施例１
図１、図２に示すように、本実施例の構造が簡単なフレームは、フレーム本体１を含み、フレーム本体１は瓶缶を備付けるための収納チャンバー２を形成し、フレーム本体１は第１フレーム板および第２フレーム板により囲まれて構成され、第１フレーム板および第２フレーム板はいずれも主板１１、第１接続板部１２および第２接続板部１３を含み、主板１１の両端は同一側に屈曲して前記第１接続板部１２および前記第２接続板部１３を形成し、第１フレーム板の第１接続板部１２と第２フレーム板の第２接続板部１３とは摺動可能に接続され、第１フレーム板の第２接続板部１３と第２フレーム板の第１接続板部１２とは摺動可能に接続される。
【０００８】
本考案のフレームは構造が簡単であり、その他の接続板部品を要しなく、フレーム本体１が第１フレーム板および第２フレーム板により囲まれて構成され、接続板部品等の構造を簡単にし、生産コストを低減するだけでなく、生産プロセスを簡単にし、規模化生産に便利であり、かつ、フレーム自身をコンパクトにし、携帯に便利であり、実用性が強く、また、部品が少ないため、メンテナンスに有利であり、使用寿命が長く、市場での普及に有利である。なお、本考案のフレームの第１フレーム板および第２フレーム板は第１接続板部１２および第２接続板部１３により接続されてフレーム本体１を構成し、組立は便利、簡単であり、かつ、第１接続板部１２と第２接続板部１３との間の摺動引張により、フレーム本体１の収納チャンバー２の寸法の調節を実現でき、調節に便利であり、このようにして、異なる寸法の酒瓶または飲料缶の要求を満たすことができ、商品は秩序正しく展示されることができ、適用範囲は広い。
【０００９】
本考案のフレームは、使用される場合に、デパートの飾り棚に合わせて使用することができ、展示されている商品を秩序正しく配列することに有利である。まず、本考案のフレームを飾り棚上に置き、そして酒瓶を本考案のフレームに１つずつ入れてよい。それとともに、飾り棚の様々な商品の数の減少を即時に反映することができ、即時に補充することに有利である。なお、補充商品の交換に便利であり、フレーム内に配列される商品を１列の全体を取り出し、新規な商品を交換し、時間を節約し、点検に便利である。また、本考案のフレームはフレームプレートを傾斜する飾り棚に合わせて使用する場合に、本考案のフレームに置かれて１行または１列に配列される商品を取り出すと、後方の列または行となる商品は自身の重力で滑落し、取り出した商品による空位を自動に補充することを実現し、商品はいつでも秩序正しく展示されるようになる。
【００１０】
本実施例では、第１フレーム板の第２接続板部１３の内表面に主板１１から離れる一端にガイドブロック１３１が設置され、第２フレーム板の第１接続板部１２の外表面にガイドブロック１３１に合わせる摺動溝１２１が設置され、ガイドブロック１３１は摺動溝１２１に摺動可能に設置される。ガイドブロック１３１は摺動溝１２１と摺動可能に配置し、第１接続板部１２と第２接続板部１３との相対摺動に対してガイド作用を果たし、摺動をスムーズにし、また、ガイドブロック１３１は摺動溝１２１に対して位置制限の作用を果たし、第２接続板部１３と第１接続板部１２との滑脱分離を避ける。
第１フレーム板の第２接続板部１３の上縁には収納チャンバー２に向かって延伸して下へ屈曲して第１延伸ピース１３３を構成し、第２接続板部１３の下縁には収納チャンバー２に向かって延伸して上へ屈曲して第２延伸ピース１３４を構成し、ガイドレール１３２は第１延伸ピース１３３、第２延伸ピース１３４および第２接続板部１３により囲まれて構成され、第２フレーム板の第１接続板部１２は前記ガイドレール１３２に摺動可能に設置される。第１延伸ピース１３３、第２延伸ピース１３４および第２接続板部１３は一体成形し、構造は安定であり、第１接続板部１２は、ガイドレール１３２で摺動する際に、第１延伸ピース１３３、第２延伸ピース１３４および第２接続板部１３の間に安定に挟設され、このようにして、ガイドレール１３２は接続具に取って代わり、第１接続板部１２の摺動に対してガイド作用を果たすだけでなく、第１接続板部１２に対して位置制限し、さらに第１接続板部１２と第２接続板部１３とは相対摺動するときの脱離を避ける。
【００１１】
本実施例では、第２フレーム板の第２接続板部１３の内表面に主板１１から離れる一端にガイドブロック１３１が設置され、第１フレーム板の第１接続板部１２の外表面にガイドブロック１３１に合わせる摺動溝１２１が設置され、ガイドブロック１３１は摺動溝１２１に摺動可能に設置される。ガイドブロック１３１は摺動溝１２１と摺動可能に配置され、第１接続板部１２と第２接続板部１３との相対摺動に対してガイド作用を果たし、摺動をスムーズにし、また、ガイドブロック１３１は摺動溝１２１に対して位置制限の作用を果たし、第２接続板部１３と第１接続板部１２との滑脱分離を避ける。
第２フレーム板の第２接続板部１３の上縁には収納チャンバー２に向かって延伸して下へ屈曲して第１延伸ピース１３３を構成し、第２接続板部１３の下縁には収納チャンバー２に向かって延伸して上へ屈曲して第２延伸ピース１３４を構成し、ガイドレール１３２は第１延伸ピース１３３、第２延伸ピース１３４および第２接続板部１３により囲まれて構成され、第１フレーム板の第１接続板部１２は前記ガイドレール１３２に摺動可能に設置される。第１延伸ピース１３３、第２延伸ピース１３４および第２接続板部１３は一体成形し、構造は安定であり、第１接続板部１２は、ガイドレール１３２で摺動する際に、第１延伸ピース１３３、第２延伸ピース１３４および第２接続板部１３の間に安定に挟設され、このようにして、ガイドレール１３２は接続具に取って代わり、第１接続板部１２の摺動に対してガイド作用を果たすだけでなく、第１接続板部１２に対して位置制限し、さらに第１接続板部１２と第２接続板部１３とは相対摺動するときの脱離を避ける。
本実施例では、ガイドブロック１３１はフックである。フックは摺動溝１２１の端部に掛かり、さらに緩みを避け、構造の安定性を向上させる。
【００１２】
実施例２
本実施例は実施例１に異なる点は、本実施例では、主板１１の外表面に凹溝１１１が設置されることにある。本考案のフレームは使用される時に、飾り棚の空間を節約するために、本考案のフレームを緊密に飾り棚上に配列し、商店はフレームを取り出す際に、主板１１に設置される凹溝１１１により、主板１１を内へ陥没させ、隣接する２つのフレームの主板１１の表面は直接接触しなく、摩擦抵抗を低減させ、取り出しに便利であり、かつ、主板１１の間の大面積の摩擦を避け、磨損を低減し、メンテナンスおよび長時間の使用に有利である。
本実施例では、摺動溝１２１の両端にガイドブロック１３１を係止できる係止口が開設される。ガイドブロック１３１は摺動溝１２１の端部までに摺動する時に、ガイドブロック１３１は係止口に係止され、係止口はガイドブロック１３１が摺動溝１２１端部での摺動を制限し、ガイドブロック１３１が摺動溝１２１の端部を越えて招いた第１接続板部１２と第２接続板部１３との外しを避け、接続はさらに安定である。
【００１３】
実施例３
本実施例は実施例１に異なる点は、本実施例では、主板１１の両端部の幅は主板１１の中部の幅より小さく、かつ、主板１１の幅は主板１１の両端部から主板１１の中部にかけて徐々大きくなることにある。本考案のフレームを水平面に放置される場合に、主板１１の端部の幅は小さいため、一定程度の隙間は主板１１の端部と水平面との間に形成され、把持部として人が手部を入れて、本考案のフレームを把持するのに便利であり、外形も綺麗である。
本実施例では、第１接続板部１２と主板１１との間、および第２接続板部１３と主板１１との間の屈曲部にはいずれも丸コーナ１４が設置される。丸コーナ１４は本考案のフレームのコーナ部を円滑にし、コーナ部は人の手部と接触する時に、コーナ部による怪我を避け、使用をさらに安全にさせる。
本実施例のその他の構造は実施例１に同一であり、説明を省略する。
【００１４】
上記の実施形態はただ本考案の好適な実施形態であり、本考案の実施範囲を制限するものではない。従って、本実用新案登録請求の範囲に記載の構造、特徴及び原理に基づいて作成した変更例は本実用新案登録請求の範囲に含まれる。
【符号の説明】
【００１５】
１…フレーム本体
２…収納チャンバー
１１…主板
１１１…凹溝
１２…第１接続板部
１２１…摺動溝
１３…第２接続板部
１３１…ガイドブロック
１３２…ガイドレール
１３３…第１延伸ピース
１３４…第２延伸ピース
１４…丸コーナ
【図１】
0003191387.tif 000003
【図２】
0003191387.tif 000004